(57)【要約】【課題】複数のリフレクターから成る反射光モジュール構造を提供する。【解決手段】本発明の複数のリフレクターから成る反射光モジュール構造は、固定用リング及び複数の反射板を少なくとも備える。前記固定用リングは自動車用灯具の電球スルーホールの箇所に定位され、前記各反射板は前記固定用リングの中心のスルーホールを貫通させると共に固定用リングに固定される。自動車用灯具の輝度が改善され、グレードアップ作業でも灯具を取り外さずに達成できる。【選択図】図８Ｄ
2017045721.tif 000002
【特許請求の範囲】
【請求項１】
中空パイプで構成され、前記中空パイプの一端面には外側表面方向に向けて少なくとも１面の非正円平面が延出され、前記中空パイプの内側表面には中心方向に向けて突出される環状平面が設置され、前記環状平面は少なくとも１つのスルーホールを有する固定用リングと、
内表面は曲面であり且つ反射面として設置され、且つ底部端面から上部端面にかけて幅が徐々に縮減してゆく複数の反射板とを少なくとも備えることを特徴とする複数のリフレクターから成る反射光モジュール構造。
【請求項２】
前記反射板の上部端面には凹型穴が更に設けられることを特徴とする、請求項１に記載の複数のリフレクターから成る反射光モジュール構造。
【請求項３】
前記反射板の上部端面にはＬ形突起体が延出され、且つ前記反射板の上部には凹部構造を有し、前記Ｌ形突起体には少なくとも１つのスルーホールが設けられることを特徴とする、請求項２に記載の複数のリフレクターから成る反射光モジュール構造。
【請求項４】
前記反射板は少なくとも一側辺の外側表面に前記側辺端面に突出される少なくとも１つの位置決め部材が設置されることを特徴とする、請求項１に記載の複数のリフレクターから成る反射光モジュール構造。
【請求項５】
前記反射板は少なくとも一側辺の外側表面に前記側辺端面に突出されない少なくとも１つの位置決め部材が設置され、且つ前記位置決め部材には少なくとも１つの磁石が装設されることを特徴とする、請求項１に記載の複数のリフレクターから成る反射光モジュール構造。
【請求項６】
前記固定用リングの中空パイプには少なくとも１つの切欠きが設けられることを特徴とする、請求項１に記載の複数のリフレクターから成る反射光モジュール構造。
【請求項７】
前記固定用リングの中空パイプには少なくとも１つの切欠きが設けられ、前記切欠きの箇所には外側に向けて突出される弾性板構造を有することを特徴とする、請求項１に記載の複数のリフレクターから成る反射光モジュール構造。
【請求項８】
前記複数の反射板は少なくとも２種類の異なる曲面反射面による複数の反射板で構成されることを特徴とする、請求項１に記載の複数のリフレクターから成る反射光モジュール構造。
【請求項９】
前記複数の反射板は少なくとも２種類の異なるサイズの複数の反射板で構成されることを特徴とする、請求項１に記載の複数のリフレクターから成る反射光モジュール構造。
【請求項１０】
前記複数の反射板は少なくとも２種類の異なる曲面反射面及び少なくとも２種類の異なるサイズの複数の反射板で構成されることを特徴とする、請求項１に記載の複数のリフレクターから成る反射光モジュール構造。
【発明の詳細な説明】
【技術分野】
【０００１】
本発明は、複数のリフレクターから成る反射光モジュール構造に関し、より詳しくは、特に自動車のヘッドライトの輝度の改善及びグレードアップに適用され、従来の方式のようなヘッドライトの改装時の灯具の取り外し作業が不要になる複数のリフレクターから成る反射光モジュール構造に関する。
【背景技術】
【０００２】
図１Ａは従来の自動車のヘッドライトに使用される灯具構造の断面模式図を示す。灯具（０１）は保護カバー（１０１）と、光透過板（１０２）と、内部に装設されるリフレクター（１０３）とで構成される。保護カバー（１０１）及びリフレクター（１０３）の後方にはスルーホールを有する位置決め部材（１０４）が設置されて、光源（１０５）に貫通させることで光源（１０５）が固定される。
【発明の概要】
【発明が解決しようとする課題】
【０００３】
図１Ｂ及び図１Ｃを参照すれば、ヘッドライトの輝度の改善に関しては、図１Ｂに示す本来のリフレクター内部に反射効率がより高いリフレクター（１０６）が装設されることで達成される。ヘッドライトの輝度のグレードアップについては、図１Ｃに示す本来のリフレクター内部にキセノン電球或いはＬＥＤ光源のレンズ発光モジュール（１０７）が装設されることで達成される。この２種類の改装では、防水のために密封処理された保護カバー（１０１）及び光透過板（１０２）を開かなければ前記部材を本来のリフレクター（１０３）内部に装設できないため、これでは改装コストが増える上、灯具に雨水が染み込む等した。
【０００４】
そこで、本発明者は上記の欠点が改善可能と考え、鋭意検討を重ねた結果、合理的設計で上記の課題を効果的に改善する本発明の提案に到った。
【０００５】
本発明は、このような従来の問題に鑑みてなされたものである。上記課題解決のため、本発明は、複数のリフレクターから成る反射光モジュール構造を提供することを目的とする。すなわち、本来の灯具を取り外さずに輝度の改善及びグレードアップの装設作業が簡単に行える。
【課題を解決するための手段】
【０００６】
上述した課題を解決し、目的を達成するために、本発明に係る複数のリフレクターから成る反射光モジュール構造は、固定用リング及び複数の反射板を少なくとも備える。前記固定用リングは中空パイプで構成され、前記中空パイプは好ましくは円形状であり、且つ一端面には外側表面方向に向けて少なくとも１面の非正円平面が延出されて前記固定用リングを正確な方向に定位させる。前記中空パイプの内側表面には中心方向に向けて突出される環状平面が設置され、前記環状平面はスルーホールである少なくとも１つの位置決め部材を有する。前記各反射板の内表面は曲面であり且つ反射面として設置され、且つ底部端面から上部端面にかけて幅が徐々に縮減される。徐々に縮減される幅は前記中空パイプのサイズの違いに基づいて変動され、中空パイプのサイズが大きくなる程縮減される幅が小さくなり、反対に中空パイプのサイズが小さくなる程縮減される幅が大きくなる。前記反射板は更に上部端面に凹型穴である少なくとも１つのスルーホール或いは凹部である位置決め部材が設置される。これにより、構造は各反射板が前記固定用リングの中間部を貫通させると共に複数の反射板の上部がネジ等の固定部材により前記固定用リングの環状平面に固定され、大面積の反射光線モジュール構造が形成される。
【０００７】
ある好ましい実施例において、前記反射板の上部端面には凹型穴或いは凹部が設けられて、ネジの螺入または磁石の装設に使用される。
【０００８】
ある好ましい実施例において、前記反射板の上部端面には凹型穴或いは凹部が設けられると共にＬ形突起体が延出され、前記Ｌ形突起体には少なくとも１つのスルーホールが設けられ、前記反射板の上部には垂直式の凹部構造を有する。前記凹部は前記中空パイプの内側の環状平面に適合され、更にネジ等の固定部材により前記反射板が前記中空パイプの内側の環状平面に固定される。
【０００９】
ある好ましい実施例において、前記反射板は少なくとも一側辺の外側表面に前記側辺端面に突出される少なくとも１つの位置決め部材が設置される。
【００１０】
ある好ましい実施例において、前記反射板は少なくとも一側辺の外側表面に前記側辺端面に突出されない少なくとも１つの位置決め部材が設置され、前記位置決め部材には磁石が更に装設される。
【００１１】
ある好ましい実施例において、前記反射板の外側表面に少なくとも１つの凹部式の折れやすい面が設置される。
【００１２】
ある好ましい実施例において、前記複数の反射板は少なくとも２種類の異なる曲面内表面による反射板または少なくとも２種類の異なるサイズの反射板で構成され、もしくは少なくとも２種類の異なる曲面内表面及び少なくとも２種類の異なるサイズの反射板で構成される円形或いは非円形の光線反射モジュールである。
【００１３】
ある好ましい実施例において、前記固定用リングの中空パイプには少なくとも１つの切欠きが設けられる。
【００１４】
ある好ましい実施例において、前記固定用リングの中空パイプには少なくとも１つの切欠きが設けられ、外側方向に向けて突出される少なくとも１つの弾性板構造が形成される。
【発明の効果】
【００１５】
本発明のモジュール構造によれば、特に自動車等の自動車両のヘッドライトの輝度の改善及びグレードアップに適用される。従来の改装方式のような灯具の取り外し作業が必要なく、灯具のメンテナンス或いは改装のコストが有効的に削減され、予期する効果が確実に達成される。
【図面の簡単な説明】
【００１６】
【図１Ａ】従来の自動車照明灯具側を示す断面模式図である。
【図１Ｂ】従来の自動車照明灯具に第二リフレクターが装設される断面模式図である。
【図１Ｃ】従来の自動車照明灯具にレンズ発光モジュールが装設される断面模式図である。
【図２Ａ】本発明の第１実施例による固定用リングを示す実施例図である。
【図２Ｂ】本発明の第１実施例による固定用リングを示す実施例図である。
【図２Ｃ】本発明の第１実施例による固定用リングを示す実施例図である。
【図３Ａ】本発明の第２実施例による固定用リングを示す実施例図である。
【図３Ｂ】本発明の第２実施例による固定用リングを示す実施例図である。
【図３Ｃ】本発明の第２実施例による固定用リングを示す実施例図である。
【図４Ａ】本発明の第１実施例による反射板を示す実施例図である。
【図４Ｂ】本発明の第１実施例による反射板を示す実施例図である。
【図４Ｃ】本発明の第１実施例による反射板を示す実施例図である。
【図５Ａ】本発明の第２実施例による反射板を示す実施例図である。
【図５Ｂ】本発明の第２実施例による反射板を示す実施例図である。
【図５Ｃ】本発明の第２実施例による反射板を示す実施例図である。
【図６Ａ】本発明の第３実施例による反射板を示す実施例図である。
【図６Ｂ】本発明の第３実施例による反射板を示す実施例図である。
【図６Ｃ】本発明の第３実施例による反射板を示す実施例図である。
【図７Ａ】本発明の第４実施例による反射板を示す実施例図である。
【図７Ｂ】本発明の第４実施例による反射板を示す実施例図である。
【図８Ａ】本発明の第１実施例によるモジュール構造を示す実施例図である。
【図８Ｂ】本発明の第１実施例によるモジュール構造を示す実施例図である。
【図８Ｃ】本発明の第１実施例によるモジュール構造を示す実施例図である。
【図８Ｄ】本発明の第１実施例によるモジュール構造を示す実施例図である。
【図９Ａ】本発明の第５実施例による反射板を示す実施例図である。
【図９Ｂ】本発明の第５実施例による反射板を示す実施例図である。
【図９Ｃ】本発明の第６実施例による反射板を示す実施例図である。
【図９Ｄ】本発明の第６実施例による反射板を示す実施例図である。
【図１０Ａ】本発明の第２実施例によるモジュール構造を示す実施例図である。
【図１０Ｂ】本発明の第２実施例によるモジュール構造を示す実施例図である。
【発明を実施するための形態】
【００１７】
以下に図面を参照して、本発明を実施するための形態について、詳細に説明する。なお、本発明は、以下に説明する実施例に限定されるものではない。
【実施例】
【００１８】
（固定用リング：第１実施例）
図２Ａ乃至図２Ｃは本発明の第１実施例による固定用リングを示す実施例図である。固定用リング（Ａ０１）は中空パイプ（２０１）で構成され、中空パイプ（２０１）は、好ましくは円形状であり、且つ一端面には外側表面に向けて少なくとも１面の非正円平面が延出される。本実施例図では、円弧状平面（２０２）及び正方形に近似する３面の正方形平面（２０３）（２０４）（２０５）が固定用リング（Ａ０１）の方向の定位に用いられる。製品の実際の運用では、前記非正円平面は円弧状平面及び正方形平面に近似される等の多様な形式であり、中空パイプ（２０１）の他端面の内側表面には中心方向に向けて突出される環状平面（２０６）が更に設置されると共に複数のスルーホール（２０７）が設けられる。製品の実際の運用では、前記環状平面は中空パイプの２面の側端面の中間の任意の位置に位置される。
【００１９】
（固定用リング：第２実施例）
図３Ａ乃至図３Ｃは本発明の第２実施例による固定用リングを示す実施例図である。固定用リング（Ａ０２）の基本構成の構造は大部分が図２Ａ乃至図２Ｃの固定用リング（Ａ０１）と同じであり、差異は、中空パイプ（３０１）の下方領域に１つの切欠き（３０２）が更に設けられ、ある種の自動車用灯具の電球の台座構造に干渉するのが回避され、２つの切欠き（３０３）（３０４）が更に増設され、外側方向に簡単に押動される２枚の弾性板（３０５）（３０６）構造が形成される点のみである。
【００２０】
（反射板：第１実施例）
図４Ａ乃至図４Ｃは本発明の第１実施例による反射板を示す実施例図である。反射板（Ｂ０１）の内表面は曲面であり且つ反射面（４０１）として設置され、反射板（Ｂ０１）は底部端面（４０２）から上部端面（４０３）にかけて幅が徐々に縮減される。徐々に縮減される幅は結合される固定用リングの中空パイプのサイズの違いに基づいて変動され、中空パイプの幅が大きくなる程が縮減される幅が小さくなり、中空パイプの幅が小さくなる程縮減される幅が大きくなる。上部端面（４０３）には凹型穴或いは凹部である少なくとも１つの位置決め部材（４０４）が更に設置される。本実施例図では、凹型穴であり、前記凹型穴はネジの螺入或いは磁石の装設に用いられる。
【００２１】
（反射板：第２実施例）
図５Ａ乃至図５Ｃは本発明の第２実施例による反射板を示す実施例図である。反射板（Ｂ０２）の基本構成の構造は大部分が図４Ａ乃至図４Ｃの反射板（Ｂ０１）と同じであり、差異は、反射板（Ｂ０２）の上部端面（５０１）にはＬ形突起体（５０２）が更に延出されると共にスルーホール（５０３）が設けられ、反射板（Ｂ０２）の上部には凹部（５０４）を有する構造が形成され、前述の固定用リングの内側の環状平面に緊密に結合される点のみである。
【００２２】
（反射板：第３実施例）
図６Ａ乃至図６Ｃは本発明の第３実施例による反射板を示す実施例図である。反射板（Ｂ０３）の基本構成の構造は大部分が図５Ａ乃至図５Ｃの反射板（Ｂ０２）と同じであり、差異は、反射板（Ｂ０３）は側辺端面（６０２）の外側表面（６０１）に前記側辺端面（６０２）に突出される少なくとも１つの位置決め部材（６０３）が更に設置され、この構造により各２枚の反射板が併設された後に同じ弧形面に位置されなくなるずれ現象が回避される点のみである。
【００２３】
（反射板：第４実施例）
図７Ａ乃至図７Ｂは本発明の第４実施例による反射板を示す実施例図である。反射板（Ｂ０４）の基本構成の構造は大部分が図６Ａ乃至図６Ｃの反射板（Ｂ０３）と同じであり、差異は、反射板（Ｂ０４）は一側辺（７０１）の外側表面（７０２）に前記側辺端面に突出されない２つの位置決め部材（７０３）（７０４）が更に設置されて磁石（７０５）が固装され、他側辺（７０６）の外側表面にも前記側辺端面に突出されない２つの位置決め部材（７０７）（７０８）が設置されて磁石（７０９）が固装され、これにより構造は各２枚の反射板が磁石の吸着力により緊密に結合される点のみである。
【００２４】
（モジュール構造：第１実施例）
図８Ａ乃至図８Ｄは本発明の第１実施例によるモジュール構造が自動車かオートバイ用灯具に運用される実施例図である。図８Ａによると、本発明の固定用リング（Ａ０１）が灯具リフレクター（８０１）に設けられる電球スルーホール（８０２）に装設される。図８Ｂによると、反射板（Ｂ０２）が固定用リング（Ａ０１）の中間のスルーホールを貫通させて灯具リフレクター（８０１）内部に進入する。図８Ｃによれば、反射板（Ｂ０２）の上端の凹部が固定用リング（Ａ０１）の内側表面に設けられる環状平面（２０６）に結合された後にネジ（８０３）で固定される。図８Ｄでは、モジュール構造（Ｃ０１）は複数の反射板（Ｂ０２）及び固定用リング（Ａ０１）で構成されて灯具リフレクター（８０１）内部の大面積の光線反射構造に装設される。本実施例図に示すように、複数の反射板は共に同じ曲面内表面及び同じサイズの反射板により円形リフレクターが構成され、実際の製品の運用では、少なくとも２種類の異なる曲面内表面或いは異なるサイズの反射板で円形または非円形の光線反射モジュールが構成され、様々な異なる照明効果を達成させる。
【００２５】
（反射板：第５及び第６実施例）
図９Ａ乃至図９Ｄは本発明の第５及び第６実施例による反射板を示す実施例図である。まず、図９Ａ及び図９Ｂを参照すれば、反射板（Ｂ０５）の基本構成の構造は大部分が図７Ａ及び図７Ｂの反射板（Ｂ０４）と同じであり、差異は、反射板（Ｂ０５）の外側表面（９０１）には凹部式の３面の折れやすい面（９０２）（９０３）（９０４）が更に設置され、反射板の上部領域の部分の構造体が切断されやすくなる点のみである。図９Ｃ及び図９Ｄを参照すると、反射板（Ｂ０６）は上述の反射板（Ｂ０５）の折れやすい面（９０３）の箇所で上部領域の構造体が折られて小さいサイズの反射板が形成される。
【００２６】
（反射光線モジュール構造：第２実施例）
図１０Ａ及び図１０Ｂは本発明の第２実施例による反射光線モジュール構造が自動車かオートバイ用灯具に運用される実施例図である。モジュール構造（Ｃ０２）は複数の大きなサイズの反射板（Ｂ０５）及び小さなサイズの反射板（Ｂ０６）で構成され、構成される光線反射モジュールは１つの切欠き（１００１）を有する。切欠きは一部の自動車用灯具の干渉する構造体を避けるために使用される。
【００２７】
結論として、本発明に係るモジュール構造は特に自動車等の自動車両のヘッドライトの輝度の改善及びグレードアップに適用される。従来の改装方式のような灯具の取り外し作業が不要であり、灯具のメンテナンス或いは改装にかかるコストが有効的に削減され、予期する効果が確実に達成される。
【００２８】
以上、本発明の実施例について図面を参照して詳述したが、具体的な構成はこの実施例に限られるものではなく、本発明の要旨を逸脱しない範囲の設計変更等も含まれる。
【符号の説明】
【００２９】
０１  灯具
１０１  保護カバー
１０２  光透過板
１０３、１０６  リフレクター
１０４  位置決め部材
１０５  光源
１０７  レンズ発光モジュール
Ａ０１  固定用リング
２０１  中空パイプ
２０２  円弧状平面
２０３、２０４、２０５  正方形平面
２０６  環状平面
２０７  スルーホール
Ａ０２  固定用リング
３０１  中空パイプ
３０２、３０３、３０４  切欠き
３０５、３０６  弾性板
Ｂ０１  反射板
４０１  反射面
４０２  底部端面
４０３  上部端面
４０４  位置決め部材
Ｂ０２  反射板
５０１  上部端面
５０２  Ｌ形突起体
５０３  スルーホール
５０４  凹部
Ｂ０３  反射板
６０１  外側表面
６０２  側辺端面
６０３  位置決め部材
Ｂ０４  反射板
７０１、７０６  側辺
７０２  外側表面
７０３、７０４、７０７、７０８  位置決め部材
７０５、７０９  磁石
Ａ０１  固定用リング
８０１  灯具リフレクター
８０２  電球スルーホール
Ｂ０２  反射板
２０６  環状平面
８０３  ネジ
Ｃ０１  モジュール構造
Ｂ０５、Ｂ０６  反射板
９０１  外側表面
９０２、９０３、９０４  折れやすい面
Ｃ０２  モジュール構造
Ｂ０５、Ｂ０６  反射板
１００１  切欠き
【図１Ａ】
2017045721.tif 000003
【図１Ｂ】
2017045721.tif 000004
【図１Ｃ】
2017045721.tif 000005
【図２Ａ】
2017045721.tif 000006
【図２Ｂ】
2017045721.tif 000007
【図２Ｃ】
2017045721.tif 000008
【図３Ａ】
2017045721.tif 000009
【図３Ｂ】
2017045721.tif 000010
【図３Ｃ】
2017045721.tif 000011
【図４Ａ】
2017045721.tif 000012
【図４Ｂ】
2017045721.tif 000013
【図４Ｃ】
2017045721.tif 000014
【図５Ａ】
2017045721.tif 000015
【図５Ｂ】
2017045721.tif 000016
【図５Ｃ】
2017045721.tif 000017
【図６Ａ】
2017045721.tif 000018
【図６Ｂ】
2017045721.tif 000019
【図６Ｃ】
2017045721.tif 000020
【図７Ａ】
2017045721.tif 000021
【図７Ｂ】
2017045721.tif 000022
【図８Ａ】
2017045721.tif 000023
【図８Ｂ】
2017045721.tif 000024
【図８Ｃ】
2017045721.tif 000025
【図８Ｄ】
2017045721.tif 000026
【図９Ａ】
2017045721.tif 000027
【図９Ｂ】
2017045721.tif 000028
【図９Ｃ】
2017045721.tif 000029
【図９Ｄ】
2017045721.tif 000030
【図１０Ａ】
2017045721.tif 000031
【図１０Ｂ】
2017045721.tif 000032